(57)【要約】　　　（修正有）【目的】押入れ等の狭小空間内に置いた状態で、布団や毛布等の乾燥ができると共に、オゾンガスを作用させて効果的な殺菌及び脱臭ができる空気乾燥装置を提供する。【解決手段】狭小空間内に載置されて使用される空気乾燥装置である。ケーシング内に、ケーシングの吸気口から取り入れられた空気を乾燥するヒータ２１と、オゾン発生器２４により発生させたオゾンガスを導出するパイプ２５と、ヒータ２１を通過した乾燥空気とパイプ２５から出されたオゾンガスとを送出する送風ファン２２とが収容されている。また、ケーシングの排気口を貫通して、送風ファン２２により送出された空気及びオゾンガスをケーシングの外部に排出するダクト１４が配設されている。【選択図】　　　　図２
0003097042.tif 000002
【実用新案登録請求の範囲】
【請求項１】
狭小空間内に載置されて使用される空気乾燥装置であって、
吸気口と排気口とを有し、下記構成部品を収容するケーシングと、
前記吸気口から吸い込まれた空気を乾燥するヒータと、
オゾン発生器により発生させたオゾンガスを導通するパイプと、
前記ヒータを通過した乾燥空気と前記パイプから送出されたオゾンガスとを送出する送風ファンと、
前記ケーシングの排気口を貫通して配設され、前記送風ファンにより送出された乾燥空気及びオゾンガスとを前記ケーシングの外部に導通するダクトとを備えたことを特徴とする空気乾燥装置。
【請求項２】
狭小空間内に載置されて使用される空気乾燥装置であって、
吸気口と排気口とを有し、下記構成部品を収容するケーシングと、
前記吸気口から吸い込まれた空気を除湿する除湿機と、
前記除湿機を通過する空気から排出された水分を収容するドレイン受けと、
前記除湿機を通過した除湿空気を暖めるヒータと、
オゾン発生器により発生させたオゾンガスを導通するパイプと、
前記ヒータを通過した除湿空気と前記パイプから送出されたオゾンガスとを送出する送風ファンと、
前記ケーシングの排気口を貫通して配設され、前記送風ファンにより送出された除湿空気及びオゾンガスとを前記ケーシングの外部に導通するダクトとを備えたことを特徴とする空気乾燥装置。
【請求項３】
請求項１又は２記載の空気乾燥装置において、
前記ダクトの、前記ケーシングの外側に露出した端部に、継ぎ足しダクトを着脱自在に接合したことを特徴とする空気乾燥装置。
【請求項４】
請求項２又は３のいずれか記載の空気乾燥装置において、
前記除湿機の稼働時間と前記オゾン発生器の稼働時間との割合を２：３としたことを特徴とする空気乾燥装置。
【考案の詳細な説明】
【０００１】
【考案の属する技術分野】
本考案は、布団や毛布等の除湿乾燥、脱臭、殺菌を、押入れやクローゼット内等の狭小空間内に吹き込んだ乾燥空気及びオゾンガスにて行う空気乾燥装置に関する。
【０００２】
【従来の技術】
外気との流動的な接触が少ない押入れ等の内部は、湿気を帯び易く、そこに収納された布団や毛布等を湿らせるばかりでなく、細菌やダニが付着し易い。
押入れやクローゼット内に市販の除湿剤を多めに置いても、除湿効果が十分ではないので、布団や毛布等を所望の状態までに乾燥させるに至らず、細菌やダニの付着を防止することはできない。
【０００３】
このため、頻繁に布団や毛布等を日干しできればよいが、人的環境を含む周辺環境に恵まれない場合は、そのような日干しは困難である。
そこで、従来より布団や毛布等の乾燥、脱臭、殺菌を行うために、乾燥庫の内部に、温風発生器により発生させた温風と、オゾン発生器により発生させたオゾンガスとを送風して循環させるようにする布団乾燥機等が案出されている（例えば、特開２０００−１７６１９９号公報）。
【０００４】
【考案が解決しようとする課題】
しかしながら、このような布団乾燥機は、布団や毛布等の乾燥、脱臭、殺菌を行うために、布団や毛布等を、専用の乾燥庫に運んで収納しなければならないので、繰り返し行うには多大な労力を要し面倒であると共に、比較的大型の乾燥庫を設置するためのスペースを必要とするという課題があった。
【０００５】
本考案は、以上のような課題を解決すべくなされたものであり、押入れやクローゼット内に置いた状態で、布団や毛布等の乾燥ができると共に、オゾンガスを作用させて効果的な殺菌及び脱臭ができる空気乾燥装置を提供することを目的とする。
【０００６】
【課題を解決するための手段】
本考案は以上の点を解決するため、次の構成を採用する。
〈構成１〉
狭小空間内に載置されて使用される空気乾燥装置であって、吸気口と排気口とを有し、下記構成部品を収容するケーシングと、上記吸気口から吸い込まれた空気を乾燥するヒータと、オゾン発生器により発生させたオゾンガスを導通するパイプと、上記ヒータを通過した乾燥空気と上記パイプから送出されたオゾンガスとを送出する送風ファンと、上記ケーシングの排気口を貫通して配設され、上記送風ファンにより送出された乾燥空気及びオゾンガスとを上記ケーシングの外部に導通するダクトとを備えたことを特徴とする空気乾燥装置。
【０００７】
〈構成２〉
狭小空間内に載置されて使用される空気乾燥装置であって、吸気口と排気口とを有し、下記構成部品を収容するケーシングと、上記吸気口から吸い込まれた空気を除湿する除湿機と、上記除湿機を通過する空気から排出された水分を収容するドレイン受けと、上記除湿機を通過した除湿空気を暖めるヒータと、オゾン発生器により発生させたオゾンガスを導通するパイプと、上記ヒータを通過した除湿空気と上記パイプから送出されたオゾンガスとを送出する送風ファンと、上記ケーシングの排気口を貫通して配設され、上記送風ファンにより送出された除湿空気及びオゾンガスとを上記ケーシングの外部に導通するダクトとを備えたことを特徴とする空気乾燥装置。
【０００８】
〈構成３〉
構成１又は２記載の空気乾燥装置において、上記ダクトの、上記ケーシングの外側に露出した端部に、継ぎ足しダクトを着脱自在に接合したことを特徴とする空気乾燥装置。
【０００９】
〈構成４〉
構成２又は３のいずれか記載の空気乾燥装置において、上記除湿機の稼働時間と上記オゾン発生器の稼働時間との割合を２：３としたことを特徴とする空気乾燥装置。
【００１０】
【考案の実施の形態】
本考案の実施の形態を図を用いて説明する。
図１は本考案の空気乾燥装置の一実施形態を示す概略図である。
図１において、符号１０は上下二段に形成された押入れ、１１はこの押入れの上段に積み重ねられた複数の布団や毛布等を示している。
押入れ１０の上段の片隅に、本考案の空気乾燥装置１２が載置されている。
【００１１】
この空気乾燥装置１２は、吸気口と排気口とが設けられたケーシング１３と、このケーシング１３の上部に配設されたダクト１４とを有している。ケーシング１３は、後述する構成部品を収容している。ダクト１４は、除湿された空気とオゾンガスを押入れ内に導通するものであり、オゾンガスによる錆発生あるいは化学分解を避けるためにステンレス製であることが望ましい。
【００１２】
空気乾燥装置１２は、内部構造の電気回路に接続された電線コード１５を有している。この電線コード１５は、使用する際は押入れ１０の壁面にそって一旦、上方に引き出されてから押入れ１０の外に出るように配線されて先端の電源プラグ１６がコンセントに接続され、使用しないときはケーシング１３の内部に設けられたコード収納部に収納される。
【００１３】
図２にケーシング１３内の構成部品を、解体した状態で示している。
図２において、ケーシング１３の吸気口近傍に、同吸気口から吸い込まれた空気を通過させて除湿する除湿機１８を配設している。この除湿機１８は、図示を簡略化しているが、圧縮機、凝縮器、蒸発器等を冷媒配管で接続し、当該冷媒配管内を冷媒が循環する冷媒回路を有する周知の電気駆動式構造である。
かかる除湿機１８の底部に、空気が除湿機１８を通過した際、露結により発生した水滴を収容し、外部に廃棄するためのドレイン受け２０を配設している。ドレイン受け２０は、溜まったドレインを捨てるために、ケーシング１３に脱着自在に取付けられている。
【００１４】
除湿機１８に隣接して、除湿機１８を通過した除湿空気を暖める電気ヒータ２１と、この電気ヒータ２１を通過した空気を、温風として送出する送風ファン２２とが配設されている。送風ファン２２はダクト１４の中に配置されていることが好ましい。さらに、ダクト１４内にはオゾン発生器２４により発生させたオゾンガスを導出するステンレス製のパイプ２５の鉤型先端部が配設されている。オゾン発生器２４はダクト１４の外側に配設され、その近傍に小型のファン２６が配設されている。
【００１５】
ダクト１４は、ケーシング１３の排気口を貫通して配設され、ケーシング１３の外側に露出する部分がＬ形を呈するものであるが、押入れ１０の内部状況等に応じて伸縮あるいは回動が可能になるようにされている。すなわち、図３に示すように、予め適当な長さの直線状あるいはＬ型形状等の継ぎ足しダクト１４Ａ、１４Ｂが数種類用意され、押入れ１０の状況に適合するものを選出し、これを着脱自在に接合することにより、ダクト１４の長さと向きを自在に変えことができる。
【００１６】
オゾン発生器２４は、各種の周知方式のものがあり、特に限定するものではないが、例えば、図４に示すような紫外線照射方式のものが用いられる。すなわち、図４に示すように、基体に、石英ガラス管内にアルゴンガス、水銀蒸気等を封入してなる紫外線ランプ２８を設置すると共に、この紫外線ランプ２８を点灯するための電気回路２９、３０を配設して構成したものである。このオゾン発生器２４は、基体の一方の開口３１から給入された空気が紫外線ランプ２８に照射されてオゾンガスを発生し、外部のパイプ２５に連通する基体の他方の開口３２から放出するものである。このときの空気の流れを形成するために、開口３１の近傍に小型のファン２６がパイプ３４を介して配設されている。
【００１７】
ヒータ２１を通過した除湿空気は温風となって、パイプ２５から放出されたオゾンガスと共に、送風ファン２２によりダクト１４内に導通されるが、除湿機１８及びヒータ２１の稼働時間と、オゾン発生器２４の稼働時間との割合を２：３とすることが望ましい。つまり、図５に示したように、除湿機１８及びヒータ２１の稼働時間ａを２時間とした場合は、オゾン発生器２４の稼働時間ｂを３時間とすることにより、布団や毛布等を十分除湿乾燥した状態でオゾンガスを布団や毛布等の隅々まで行き渡らせることになるので、効果的に殺菌、脱臭を行うことができるからである。
【００１８】
本考案の空気乾燥装置１２は、移動自在であり使用時には押入れやクローゼット内の任意の場所に載置され、戸を閉めて使うことにより良好な乾燥効果が生じる。また、押入れの状況に応じて、図１に鎖線で示したように押入れ１０の下段に設置してもよく、上段に設置した場合とほぼ同様な効果が得られる。
なお、本考案の装置としては、ケーシング１３内の構成部品として電気ヒータ２１の設置を省略したものも含んでいる。
【００１９】
【考案の効果】
以上述べたように、本考案の空気乾燥装置によれば、布団や毛布等を押入れやクローゼット等の狭小空間内に置いた状態で、それらの除湿乾燥ができると共にオゾンガスを作用させて効果的な殺菌及び脱臭を行うことができる。
【図面の簡単な説明】
【図１】本考案に係る空気乾燥装置の一実施例を示す概略図である。
【図２】同実施例の構成部品を解体して示す斜視図である。
【図３】同実施例の構成部品の一部を示す概略図である。
【図４】同実施例の構成部品の他の部分を示す概略図である。
【図５】同実施例の構成部品の運転時間の説明図である。
【符号の説明】
１０　押入れ
１１　布団や毛布等
１２　空気乾燥装置
１３　ケーシング
１４　ダクト
１４Ａ、１４Ｂ　継ぎ足しダクト
１８　除湿機
２０　ドレイン受け
２１　ヒータ
２２　送風ファン
２４　オゾン発生器
２５　パイプ
【図１】
0003097042.tif 000003
【図２】
0003097042.tif 000004
【図３】
0003097042.tif 000005
【図４】
0003097042.tif 000006
【図５】
0003097042.tif 000007